(57)【特許請求の範囲】
【請求項１】
ボール転り溝を形成し、該ボール転り溝の基端側にボール載置部を設け、該ボール載置部に載置されたゴルフボールをパッティングして前記ゴルフボールを前記ボール転り溝に沿って転がすようにした、１．５ｍ以内のパットの精度を向上させるためのゴルフパッティング練習器であって、
前記ボール転り溝は、その溝幅が９ｍｍ〜５ｍｍであり、
前記ボール転り溝の横断面の曲率半径が前記ゴルフボールの半径よりも大きく形成されており、移動する前記ゴルフボールを一点で支持することで、グリーン上で前記ゴルフボールを１．５ｍから１．８ｍ程度転がすパッティング力を加えた場合に、２度未満の前記ゴルフボールの打ち出し角度の誤差では前記ゴルフボールが前記ボール転り溝から離脱する割合が小さいことを特徴とするゴルフパッティング練習器。
【請求項２】
ボール転り溝を形成し、該ボール転り溝の基端側にボール載置部を設け、該ボール載置部に載置されたゴルフボールをパッティングして前記ゴルフボールを前記ボール転り溝に沿って転がすようにした、１．５ｍ以内のパットの精度を向上させるためのゴルフパッティング練習器であって、
前記ボール転り溝は、その溝幅が１２ｍｍ〜１０ｍｍであり、
前記ボール転り溝の横断面の曲率半径が前記ゴルフボールの半径よりも大きく形成されており、移動する前記ゴルフボールを一点で支持することで、グリーン上で前記ゴルフボールを１．５ｍから１．８ｍ程度転がすパッティング力を加えた場合に、２度以内の前記ゴルフボールの打ち出し角度の誤差では前記ゴルフボールが前記ボール転り溝から離脱する割合が小さいことを特徴とするゴルフパッティング練習器。
【請求項３】
前記ボール転り溝の横断面が、弧状となる円弧面であることを特徴とする請求項１又は２に記載のゴルフパッティング練習器。
【請求項４】
前記ボール転り溝の横断面が、楕円弧状となる楕円弧面であることを特徴とする請求項１又は２に記載のゴルフパッティング練習器。
【請求項５】
前記ボール転り溝の両側の溝縁に沿って平坦状の縁取り面を設けたことを特徴とする請求項１乃至４の何れか一項に記載のゴルフパッティング練習器。
【請求項６】
少なくとも前記ボール転り溝内をつや消しにしたことを特徴とする請求項１乃至５の何れか一項に記載のゴルフパッティング練習器。
【請求項７】
前記ボール載置部の周囲に前記ゴルフボールの直径よりも小径のマークを設けたことを特徴とする請求項１乃至６のいずれか一項に記載のゴルフパッティング練習器。
【請求項８】
ボール転り溝を形成し、該ボール転り溝の基端側にボール載置部を設け、該ボール載置部に載置されたゴルフボールをパッティングして前記ゴルフボールを前記ボール転り溝に沿って転がすようにした１．５ｍ以内のパットの精度を向上させるためのゴルフパッティング練習器であって、
前記ボール転り溝は、横断面が円弧状で、曲率半径が１００ｍｍであり、
且つ前記ボール転り溝は、長さが約１００ｃｍであって、溝幅が９ｍｍから５ｍｍであることにより、
グリーン上で前記ゴルフボールを１．５ｍから１．８ｍ程度転がすパッティング力を加えた場合に、２度未満の前記ゴルフボールの打ち出し角度の誤差では前記ゴルフボールが前記ボール転り溝から離脱する割合が小さいことを特徴とするゴルフパッティング練習器。
【請求項９】
ボール転り溝を形成し、該ボール転り溝の基端側にボール載置部を設け、該ボール載置部に載置されたゴルフボールをパッティングして前記ゴルフボールを前記ボール転り溝に沿って転がすようにした１．５ｍ以内のパットの精度を向上させるためのゴルフパッティング練習器であって、
前記ボール転り溝は、横断面が円弧状で、曲率半径が６０ｍｍであり、
且つ前記ボール転り溝は、長さが約１００ｃｍであって、溝幅が９ｍｍから５ｍｍであることにより、
グリーン上で前記ゴルフボールを１．５ｍから１．８ｍ程度転がすパッティング力を加えた場合に、２度未満の前記ゴルフボールの打ち出し角度の誤差では前記ゴルフボールが前記ボール転り溝から離脱する割合が小さいことを特徴とするゴルフパッティング練習器。
【請求項１０】
金属で形成したことを特徴とする請求項１乃至９のいずれか一項に記載のゴルフパッティング練習器。
【発明の詳細な説明】
【技術分野】
【０００１】
本発明は、ゴルフパッティング練習器に関する。
【背景技術】
【０００２】
図１０に示すように、ゴルフのパッティング練習をする場合、ホールＨから約１．５ｍ離間した位置において、ホールＨに向けてパターＰでゴルフボールＢを打ち出す練習をすることが効果的である。
【０００３】
ところで、ホールＨの直径が約１０７．９ｍｍであることを考慮した場合、図１０に示すように、打ち出し位置に載置されたゴルフボールＢと、ホールＨとを結ぶ直線Ｌと、ゴルフボールＢの実際の打ち出し方向Ｕとの成す内角θ（以下、ボール打ち出し角度の誤差θという）が約２度以内の場合には、打ち出したゴルフボールＢをホールＨ内へ入れることができる可能性が高い。
【０００４】
一方、ゴルフパッティグ練習器が提案されている。図１１は特許文献１に記載のゴルフパッティング練習器１００の全体の概要を示す。図１２は、図１１の横断面を示す。
【０００５】
【特許文献１】特開平９−２３４２６２
【０００６】
前記パッティング練習器１００は、基台１０１上にレール１０２を設けた構成に成っている。そして、レール１０２の延長上にホールを想定すると共に、ゴルフボールＢを該レール１０２上から脱落しないように、ホールへ向けて真っ直ぐに打ち出す練習をするものである。
【発明の開示】
【発明が解決しようとする課題】
【０００７】
しかしながら、前述の先行技術は、ボール打ち出し角度の誤差が約２度以内の範囲内に収まるように練習することを意図していないものであって、ボール打ち出し角度の誤差が約２度以内に収まるように自覚しながらパッティグの練習をすることに用いることができなかった。
【０００８】
そこで、本発明は、前記従来技術の実情に鑑みてなされたもので、その目的は、ボール打ち出し角度の誤差を約２度以内に収めることができるように自覚しながらパッティングの練習をすることのできるパッティグ練習器を提供するにある。
【課題を解決するための手段】
【０００９】
請求項１に記載の発明は、ボール転り溝を形成し、該ボール転り溝の基端側にボール載置部を設け、該ボール載置部に載置されたゴルフボールをパッティングしてゴルフボールをボール転り溝に沿って転がすようにした１．５ｍ以内のパットの精度を向上させるためのゴルフパッティング練習器に関する。本発明のゴルフパッティング練習器のボール転り溝は、その溝幅が９ｍｍ〜５ｍｍであって、ボール転り溝の横断面の曲率半径がゴルフボールの半径よりも大きく形成されており、移動するゴルフボールを一点で支持することで、グリーン上でゴルフボールを１．５ｍから１．８ｍ程度転がすパッティング力を加えた場合に、２度未満のゴルフボール打ち出し角度の誤差ではゴルフボールがゴルフボール転り溝から離脱する割合を小さくするようにしたことを特徴とするものである。
【００１０】
請求項２に記載の発明は、ボール転り溝を形成し、該ボール転り溝の基端側にゴルフボール載置部を設け、該ボール載置部に載置されたゴルフボールをパッティングして該ゴルフボールをゴルフボール転り溝に沿って転がすようにした１．５ｍ以内のパットの精度を向上させるためのゴルフパッティング練習器に関する。本発明のゴルフパッティング練習器のボール転り溝は、その溝幅が１２ｍｍ〜１０ｍｍであり、ゴルフボール転り溝の横断面の曲率半径が前記ゴルフボールの半径よりも大きく形成されており、移動するゴルフボールを一点で支持することで、グリーン上でゴルフボールを１．５ｍから１．８ｍ程度転がすパッティング力を加えた場合に、２度以内のゴルフボール打ち出し角度の誤差ではゴルフボールがゴルフボール転り溝から離脱する割合を小さくするようにしたことを特徴とするものである。
【００１１】
請求項３に記載の発明は、請求項１又は請求項２に記載のゴルフパッティング練習器において、ボール転り溝の横断面を断面が弧状となる円弧面としたことを特徴とするものである。
【００１２】
請求項４に記載の発明は、請求項１又は請求項２に記載のゴルフパッティング練習器において、ボール転り溝の横断面を断面が楕円状となる楕円面としたことを特徴とするものである。
【００１３】
請求項５に記載の発明は、請求項１乃至請求項４の何れか１項に記載のゴルフパッティング練習器において、ゴルフボール転り溝の両側の溝縁に沿って平坦面を設けたことを特徴とするものである。
【００１４】
請求項６に記載の発明は、請求項１乃至請求項５の何れか１項に記載のゴルフパッティング練習器において、少なくともゴルフボール転り溝内をつや消しとしたことを特徴とするものである。
【００１５】
請求項７に記載の発明は、請求項１乃至請求項６の何れか１項に記載のゴルフパッティング練習器において、ゴルフボール載置部の周囲に、ゴルフボールの直径よりも小径のマークを設けたことを特徴とするものである。
【００１６】
請求項８に記載の発明は、ボール転り溝を形成し、該ボール転り溝の基端側にボール載置部を設け、該ボール載置部に載置されたゴルフボールをパッティングしてこのゴルフボールをボール転り溝に沿って転がすようにした１．５ｍ以内のパットの精度を向上させるためのゴルフパッティング練習器に関する。本発明のゴルフパッティング練習器は、ボール転り溝の横断面が円弧状で、曲率半径が１００ｍｍであり、且つ前記ボール転り溝は、長さが約１００ｃｍであって、溝幅が９ｍｍから５ｍｍであることにより、グリーン上でゴルフボールを１．５ｍから１．８ｍ程度転がすパッティング力を加えた場合に、２度未満のゴルフボール打ち出し角度の誤差ではボールがボール転り溝から離脱する割合が小さいことを特徴とするものである。
【００１７】
請求項９に記載の発明は、ボール転り溝を形成し、該ボール転り溝の基端側にボール載置部を設け、該ボール載置部に載置されたゴルフボールをパッティングしてこのゴルフボールをボール転り溝に沿って転がすようにした１．５ｍ以内のパットの精度を向上させるためのゴルフパッティング練習器に関する。本発明のゴルフパッティング練習器は、ボール転り溝の横断面が円弧状で、曲率半径が６０ｍｍであり、且つ前記ボール転り溝は、長さが約１００ｃｍであって、溝幅が９ｍｍから５ｍｍであることにより、グリーン上でゴルフボールを１．５ｍから１．８ｍ程度転がすパッティング力を加えた場合に、２度未満のゴルフボール打ち出し角度の誤差ではゴルフボールがボール転り溝から離脱する割合が小さいことを特徴とするものである。
【００１８】
請求項１０に記載の発明は、請求項１乃至請求項９の何れか１項に記載のゴルフパッティング練習器において、金属で形成されたことを特徴とするものである。
【発明の効果】
【００１９】
プロゴルファー及びアマチュア上級者は、請求項１に記載のパッティング練習器を用いて、ボール打ち出し角度の誤差が２度未満になるように高精度のパッティグの練習をすることができる。
【００２０】
パッティングの初級者及び中級者は、請求項２に記載のパッティグ練習器を用いて、ボール打ち出し角度の誤差が２度以内になるようにパッティグの練習をすることができる。
【００２１】
請求項３に記載の発明によれば、基台の上面に、断面が円弧状の溝を形成することにより、ボール転り溝を形成することができる。
【００２２】
請求項４に記載の発明によれば、基台の上面に、断面が楕円状の溝を形成することにより、ボール転り溝を形成することができる。
【００２３】
請求項５に記載の発明によれば、ボール転り溝の縁に沿って、平坦面状の縁取り面を設けることにより、ボール転り溝の存在が強調されて、ボール転り溝に神経を集中させることができる。
【００２４】
請求項６に記載の発明によれば、ボール転り溝の表面をつや消しにしたため、ゴルフボールは空転が防止されながら、ボール転り溝内を転がることができる。
【００２５】
請求項７に記載の発明によれば、ゴルフボールとマークとの位置関係が適切になるようにアドレスの姿勢を矯正することによって、最適なアドレスの姿勢を採ることができる。
【００２６】
請求項８に記載の発明によれば、横断面が円弧状で、曲率半径が１００ｍｍであり、溝幅が９ｍｍから５ｍｍのボール転り溝が形成されたゴルフパッティング練習器で、ボールが該溝から離脱しないように練習することにより、ボール打ち出し角度が２度未満になるようにすることが可能である。
【００２７】
請求項９に記載の発明によれば、横断面が円弧状で、曲率半径が６０ｍｍであり、溝幅が９ｍｍから５ｍｍのボール転り溝が形成されたゴルフパッティング練習器で、ボールが該溝から離脱しないように練習することにより、ボール打ち出し角度が２度未満になるようにすることが可能である。
【００２８】
請求項１０に記載の発明によれば、押し出し成型によって、ゴルフパッティング練習器を精度良く成型することができる。
【発明を実施するための最良の形態】
【００２９】
図１は本発明に係るゴルフパッティング練習器の平面図を示す。図２は図１の横断面を示す。
【００３０】
図１に示すように、ゴルフパッティング練習器１の基台２は、長尺の板状に形成されている。基台２の上面には、基台の幅方向の中央において、長手方向へ向けてボール転り溝３が形成されている。ボール転り溝３は、図１に示すように、基台２の基端から先端に亘って形成することができるが、基台２の基端側の任意の位置から基台２の先端に亘って形成しても良い。
【００３１】
図１に示すように、ボール転り溝３の溝幅は、基端から先端に亘って同一の幅に形成されている。図２に示すように、ボール転り溝３の横断面は、円弧状に形成されている。
【００３２】
ボール転り溝３の基端側には、ボール載置部４が形成されている。ボール載置部４は、アドレスの際に、ゴルフボールＢを載置する部位である。ボール載置部４に載置されたゴルフボールＢは、ボール転り溝３に沿って打ち出されるものである。ボール載置部４は、基台１の表裏面間を貫通する孔５と、孔５の周囲に設けられた円形のマーク６とを備えている。孔５はゴルフボールＢが脱落せずに載置されるようにゴルフボールＢの直径よりも小径に形成されている。又、マーク６の直径は、図１中、二点鎖線で示すゴルフボールＢの直径よりも若干小径であって、孔５と同心状に設けられている。マーク６に、黒等の彩色を付すことができる。マーク６は、適切なアドレスの姿勢を採る際に必要である。つまり、例えば、右打ちのゴルファーは、ボール載置部４に載置されたゴルフボールＢの真上から左目でゴルフボールＢを目視し、ゴルフボールＢの全周においてマーク６を目視できないように自己の姿勢を矯正することにより、適切なアドレスの姿勢を採ることができるものである。
【００３３】
図２に示すように、ボール転り溝３の横断面の形状を円弧状に形成した場合、ボール転り溝３の横断面の曲率半径は、ボール転り溝３内にゴルフボールＢを載置した状態で、図３に示すように、ゴルフボールＢを一点で支持できるように、ゴルフボールＢの半径以上の数値が採択される。又、ボール転り溝３の溝幅の寸法、ボール転り溝３の深さの寸法、及びボール転り溝３の横断面の曲率半径は、図１に示すように、ボール打ち出し角度の誤差θが２度未満の場合には、ゴルフボールＢがボール転り溝３内から外部へ離脱しない程度の数値に設定されている。ボール転り溝３の溝幅の寸法、溝の深さの寸法、及びボール転り溝の横断面の曲率半径の具体的な数値は、後述する。
【００３４】
図１に示すように、ボール転り溝３の両側の溝縁に長手方向に沿って縁取り面７，７が形成されている。縁取り面７は平坦面で形成されている。該縁取り面７，７は段差７aを介して、傾斜面８に接続し、該傾斜面８は下り方向へ傾斜して基台１に接続されている。
【００３５】
又、少なくとも、前記ボール転り溝３の表面はつや消しになって、ゴルフボールＢの空転を防止できる表面構造になっている。ゴルフボール転り溝３を含めて、基台２の表面全体をつや消しに形成しても良い。つや消しにする手段として、例えば、梨地にすることが想定される。
【００３６】
次に、図４乃至図６は、互いに異なった寸法のボール転り溝３について、ゴルフボールＢを打ち出す実験した結果を示す図表である。
【００３７】
図４は、ボール転り溝３の長さが１００ｃｍであって、グリーン上でボールを１５０ｃｍ、又は１８０ｃｍ転がすことのできるパッティング力で、公知の装置を用いて機械的に打ち出した場合を示す。つまり、グリーン上で実際にゴルフボールＢをパッティングする際に相応するパッティング力でゴルフボールＢを打ち出した場合を示す。又、同図６は、ボール転り溝３の横断面の曲率が１００ｍｍで、溝幅が３ｍｍから１２ｍｍであって、溝の深さが０．０１１ｍｍから０．１８０ｍｍの場合について実験した結果を示す。
【００３８】
ゴルフボールＢを打ち出す実験は、図１に示すように、ボール載置部４に載置されたゴルフボールＢを、ボール打ち出し角度の誤差θが、０度、１度、２度になるように打ち出して、ゴルフボールＢが該ゴルフボール転り溝３から離脱するか否かを判定するものである。又、当該実験においては、ボール載置部４に載置されたゴルフボールＢは、１．５ｍから２ｍ程度転がすパッティング力で、公知の装置を用いて機械的に打ち出した場合を示す。つまり、グリーン上で実際にゴルフボールＢをパッティングする際に相応するパッティング力でゴルフボールＢを打ち出した場合を示す。
【００３９】
同図表中、×印は、ゴルフボールＢがボール転り溝３から離脱した場合を示し、○印はゴルフボールがボール転り溝から離脱しなかった場合を示す。
【００４０】
又、図４は、ボール転り溝３の横断面の曲率半径が６０ｍｍで、溝幅が３ｍｍから１２ｍｍであって、溝の深さが０．０１９ｍｍから０．３０１ｍｍの場合について、前述と同様の実験をした結果を示す図表である。
【００４１】
更に、図５は、ボール転り溝の横断面の曲率半径が１８０ｍｍで、溝幅が３ｍｍから１２ｍｍであって、溝の深さが０．００６ｍｍから０．１００ｍｍの場合について、前述と同様の実験をした結果を示す図表である。
【００４２】
前述の二つの図４、図５に示すように、ボール転り溝３の溝幅が５ｍｍから９ｍｍの範囲内においてボール打ち出し角度の誤差θが２度未満の場合に、ゴルフボールＢがボール転り溝３内から離脱する割合が小さいが、ボール打ち出し角度の誤差θが２度以上の場合に、ゴルフボールＢがゴルフボール転り溝３内から脱落する割合が大きくなる。
【００４３】
そこで、以上のように、ボール転り溝３の溝幅が５ｍｍから９ｍｍの場合に、ゴルフボールＢがボール転り溝３から離脱しないようにゴルフボールＢを打ち出すことにより、ボール打ち出し角度の誤差θが２度未満であることを自覚しながらパッティングの練習をすることができる。このように、ボール打ち出し角度の誤差θが２度未満であるようにパッティングをすることにより、実際のグリーン上において、ゴルフボールＢをホールに入れることのできる可能性が高い。ボールの打ち出し角度の誤差θが２度未満であるように、高精度のパッティングの練習をすることは、プロゴルファー、及びアマチュア上級者の練習に好適である。
【００４４】
又、前述の二つの図４，図５に示すように、ボール転り溝３の溝幅が１０ｍｍから１２ｍｍにおいてボール打ち出し角度の誤差θが２度以内の場合に、ゴルフボールＢがゴルフボール転り溝３内から脱落する割合が小さい。
【００４５】
そこで、以上のように、ボール転り溝３の曲率半径が６０ｍｍ又は１００ｍｍであって、ボール転り溝３の溝幅が１０ｍｍから１２ｍｍの場合には、ボール転り溝３から脱落しないようにゴルフボールＢを打ち出す練習をすることにより、ボール打ち出し角度の誤差θが２度以内であることを自覚しながらパッティングの練習をすることができる。ボール打ち出し角度の誤差θが２度以内であるようにパッティングの練習することは、初級者、中級者のゴルファーの練習に好適である。
【００４６】
更に、図５に示すように、ボール転り溝３の横断面の曲率半径が１８０ｍｍであって、溝幅が９ｍｍから１２ｍｍの範囲内の場合には、ボール打ち出し角度の誤差θが２度未満の時にゴルフボールＢがボール転り溝３から離脱する割合が小さいが、ボール打ち出し角度の誤差θが２度以上の時にゴルフボールＢがボール転り溝３から離脱する割合が大きくなる。
【００４７】
そこで、ボール転り溝３の曲率半径が１８０ｍｍであって、ボール転り溝３の溝幅が９ｍｍから１２ｍｍの場合には、ボール転り溝３から脱落しないようにゴルフボールＢを打ち出すことにより、ボール打ち出し角度の誤差θが２度未満であって、実際のグリーン上において、ホールにゴルフボールＢを入れる可能性が高いことを自覚しながらパッティングの練習をすることができる。このような高精度のパッティングの練習は、プロゴルファー、及びアマチュア上級者の練習に好適である。
【００４８】
ところで、以上の実験においては、曲率半径が６０ｍｍの場合（図４に示す）と、曲率半径が１００ｍｍの場合（図６に示す）との間においては、実験が行われていない。しかし、ゴルフボール転り溝３の溝幅が同一の場合、曲率半径が大きくなるに従って、溝の深さは浅くなって、ゴルフボールＢはボール転り溝３内から離脱し易くなるにも拘わらず、曲率半径が６０ｍｍの場合（図４に示す）と、曲率半径が１００ｍｍの場合（図６に示す）とでは同様の実験結果が得られた。このことから推測して、少なくても、曲率半径が６０ｍｍの場合（図４に示す）と、曲率半径が１００ｍｍの場合（図６に示す）との間においても同様の実験結果が得られるものと判断される。
【００４９】
つまり、請求項１に記載のように、グリーン上でゴルフボールを１．５ｍから１．８ｍ程度転がすパッティング力を加えた場合に、２度未満のボール打ち出し角度の誤差θでゴルフボールＢがゴルフボール転り溝３内から離脱する割合の小さい形状とは、ボール転り溝３の横断面の形状が円形の場合には、ボール転り溝３の溝幅が５ｍｍから９ｍｍの範囲内であって、曲率半径が６０ｍｍから１００ｍｍの範囲内である全てのものが該当するといえる。
【００５０】
又、図５に示すように、ボール転り溝３の曲率半径が１８０ｍｍの場合については、ボール転り溝３の溝幅が９ｍｍから１２ｍｍの場合に、ボール打ち出し角度の誤差θが２度未満の時にゴルフボールＢがボール転り溝３内から離脱する割合が小さいため、当該範囲内のボール転り溝３が請求項１に記載のボール転り溝に該当するものといえる。
【００５１】
又、請求項２に記載のように、グリーン上でゴルフボールを１．５ｍから１．８ｍ程度転がすパッティング力を加えた場合に、ボール打ち出し角度の誤差θが２度以内の時にゴルフボールＢがボール転り溝３内から離脱する割合の小さい形状とは、ボール転り溝３の横断面の形状が円形であって、曲率半径が６０ｍｍの場合には、ボール転り溝３の溝幅が１０ｍｍから１２ｍｍの範囲内であって、曲率半径が６０ｍｍから１００ｍｍの範囲内である形状が該当するものといえる。又、曲率半径が１００ｍｍの場合には、ボール転り溝３の溝幅が１０ｍｍから１２ｍｍの範囲内である形状が当該要求を満たすことができるものといえる。ボール転り溝３がこのような形態の場合、初級者及び中級者のパッティングの練習用に好適である。
【００５２】
次に、作用について説明する。図３に示すように、ゴルフボールＢはボール転り溝３に一点で支持されている。このため、ゴルフボールＢはボール転り溝３内をボール転り溝３の軸芯方向へ沿って転がると共に、ゴルフボールＢはボール転り溝３の幅方向へも不安定に転がり易いものである。しかも、ボール転り溝３の側面３aは、登りの傾斜面になっているため、ゴルフボールＢがボール転り溝３から離脱しようとする場合、該ゴルフボールＢに作用する重力に基づいて、該ゴルフボールＢにはボール転り溝３の中心方向へ引き戻すような引き戻し力Ｆが作用する。そして、当該引き戻し力Ｆが、グリーン上におけるゴルフボールＢの実際の転り状況を再現するものである。
【００５３】
つまり、図７に示すように、実際のグリーン上において、ゴルフボールＢが同図７中、左方向へ曲がろうとする場合、ゴルフボールＢは芝Ｓを横倒しにしながら転がるものであって、その際、ゴルフボールＢは起き上がろうとする芝Ｓから同図中、矢示方向の反力Ｍを受ける。この状態が連続することによって、ゴルフボールＢは左右に揺れながら前方へ転がるものである。当該矢示方向の反力Ｍが、図３に示す、引き戻し力Ｆに該当するものである。このように、本実施形態においては、ゴルフボールＢはゴルフボール転り溝３内を左右に揺れながら前方へ転がるものであって、ゴルフボールＢが実際のグリーン上を転がる状態に近づけることができて、実際の臨場感を受けながらパッティングの練習をすることができるものである。又、ボール転り溝３内が、つや消しになっているものであって、当該つや消しによる効果と、前述の一点支持の構造による効果との相乗効果によって、パッティングの練習を芝の上で実行する場合に近い感覚で行うことができる。
【００５４】
又、ボール転り溝３は、図４乃至図６に示すように、溝幅が１２ｍｍ以内であって、細幅に形成されていると共に、ゴルフボール転り溝３の溝縁に沿って平坦状の縁取り面７が設けられ、しかも、該縁取り面７が段差７aによって浮き上がって目視されるため、細幅のボール転り溝３、及び該縁取り面７，７を見つめて神経をボール転り溝３に集中させながら、パッティングの練習をすることができる。
【００５５】
更に、縁取り面７から基台２の縁に亘って下りの傾斜面８になっているため、ゴルフボールＢがボール転り溝３から離脱した場合には、該傾斜面８を転り下るゴルフボールＢを目視することによって、ゴルフボールＢがボール転り溝３から離脱した事実を明確に知ることができる。
【００５６】
図８は第２実施形態を示す。この第２実施形態の特徴は、ボール転り溝３の横断面の形状が楕円形に形成された点にある。この第２実施形態においては、ボール転り溝３の横断面の形状が楕円形に形成されているため、ボール転り溝３の溝底１１から立ち上がる法面１２の曲率半径は、溝底１１の曲率半径よりも小さく成っている。
【００５７】
ところで、ボール転り溝３の横断面の曲率半径は、該ボール転り溝３からゴルフボールＢが脱落するか否かを決定づける大きな要因である。以下に、その理由について説明する。例えば、図６に示すように、溝幅が６ｍｍで、溝の深さが０．０４５ｍｍのボール転り溝３と、図５に示すように、溝幅が８ｍｍで、溝の深さが０．０４４ｍｍのボール転り溝３とについての実験結果を比較した場合、溝の深さは互いに略同様であるが、図５に示す場合の方が、溝幅が広くて、ゴルフボールＢがボール転り溝３から離脱し難いはずであるにも拘わらずに、実際には、図５に示す場合の方が、ゴルフボールＢがボール転り溝３から離脱する割合が大きい。
【００５８】
その原因は、図６に示す場合の方が、ボール転り溝３の横断面の曲率半径が小さく、ボール転り溝３の側面が急勾配であって、ゴルフボールＢがボール転り溝３内から離脱しそうになった場合に、ゴルフボールＢがボール転り溝３の急勾配の側面で跳ね返されて、ボール転り溝３内からの離脱が阻止されるためであると解される。このように、ボール転り溝３の側面の曲率半径を変えることにより、ボール打ち出し角度の誤差θが所望の値の時に、ゴルフボールＢをボール転り溝３内から離脱させることができるように調節することができる。
【００５９】
従って、図５及び図６に示すように、ボール転り溝３の横断面の形状が円形の場合においては、ボール転り溝３の溝幅が５ｍｍから９ｍｍの場合、ボール打ち出し角度の誤差θが２度以内の時に、ゴルフボールＢがボール転り溝３から離脱する割合が大きいが、ボール転り溝３の横断面の形状を図８に示すように楕円形状に形成することにより、ボール打ち出し角度の誤差θが２度以上の時であっても、ゴルフボールＢがボール転り溝３から容易に離脱しないようにすることが可能である。このように、ボール打ち出し角度の誤差θが２度以内であっても、ボール転り溝３内からゴルフボールＢが離脱しないようにすることによって、パッティングの初級者及び中級者の練習用として活用することができるものである。
【００６０】
図９は、参考例を示す。この参考例の特徴は、ボール転り溝３の横断面の形状を、溝底に位置する平坦面２１と、該平坦面２１の両側から立ち上がる法面２２とから台形状に形成されている。この第３実施形態においては、ボール打ち出し角度の誤差θが２度以内の場合であっても、ゴルフボールＢはボール転り溝３の法面２２に当たって跳ね返されながら、該ボール転り溝３内から容易には離脱することなく、該ボール転り溝３内を転がることができるように、前記法面２２の立上がり角度を調節する。
【図面の簡単な説明】
【００６１】
【図１】パッティング練習器の平面図である。
【図２】図１の横断面図である。
【図３】ボール転り溝にゴルフボールを載置した状態を示す、図１の左側面図である。
【図４】実験結果を示す図表である。
【図５】実験結果を示す図表である。
【図６】実験結果を示す図表である。
【図７】作用を説明するために、ゴルフボールを芝の上に置いた状態の図である。
【図８】ボール転り溝の横断面図である。（第２実施形態）
【図９】ボール転り溝の横断面図である。（参考例）
【図１０】パター、ゴルフボール、ホールの位置関係を示す図である。
【図１１】パッティング練習器の外見図である。（従来技術）
【図１２】図１１の横断面図である。（従来技術）
【符号の説明】
【００６２】
１ パッティング練習器
２ 基台
３ ボール転り溝
４ マーク
７ 縁取り面
７a 段差
８ 下り傾斜面
Ｂ ゴルフボール
Ｓ 芝
θ ボール打ち出し角度の誤差
【図１】
0004653009.tif 000002
【図２】
0004653009.tif 000003
【図３】
0004653009.tif 000004
【図４】
0004653009.tif 000005
【図５】
0004653009.tif 000006
【図６】
0004653009.tif 000007
【図７】
0004653009.tif 000008
【図８】
0004653009.tif 000009
【図９】
0004653009.tif 000010
【図１０】
0004653009.tif 000011
【図１１】
0004653009.tif 000012
【図１２】
0004653009.tif 000013